(57)【要約】【課題】自動的に、かつ、所望の度合いに毛髪を乾燥させることができる毛髪処理装置を提供する。【解決手段】毛髪処理装置の施術本体部１５は、長手であって、一方の端部が支持部で支持されたことで回転する。施術本体部１５は、正面側に開口部１８が形成された本体カバー部１７と、本体カバー部１７の内側に収容された送風部２０と、開口部１８に取り付けられた赤外線放射部２１、反射部２２及び吹出し口２６とを有し、赤外線照射部２１及び反射部２２が、施術本体部１５の回転軸を通って長手方向に伸びる線から側方にずれている。赤外線は、反射部２２の凹面２３で毛髪に向けて反射し、吸気孔１９から吸気された風は、吹出し口２６から毛髪に向けて放出される。【選択図】図６
2020203092.tif 000002
【特許請求の範囲】
【請求項１】
被施術者の毛髪に照射される赤外線を放射する赤外線放射部と、
弧状に湾曲した形状であって、凹面側に配置された前記赤外線照射部からの赤外線を毛髪に向けて反射させる反射部と、
前記反射部の凸面側に配置されて前記反射部を冷却した風を、前記反射部の側方に配置された吹出し口から毛髪に向けて送風する送風部と、が備えられた長手の施術本体部と、
前記施術本体部の一方の端部を支持して当該施術本体部を被施術者の頭部の近傍に配置させると共に被施術者の頭部の周囲を回転させる支持部と、を有し、
前記赤外線照射部と前記反射部の頂部とが、前記施術本体部の回転軸を通って長手方向に伸びる線から側方にずれて配置され、
前記吹出し口が、前記線に対して前記赤外線照射部と反対側に配置された、
ことを特徴とする毛髪処理装置。
【請求項２】
前記反射部において、前記吹出し口と隣接した端部である一端部が、前記頂部に対して前記一端部と反対側の端部である他端部よりも短く形成され、
前記吹出し口からの風が、前記反射部の正面寄りに向けられた、
ことを特徴とする請求項１に記載された毛髪処理装置。
【発明の詳細な説明】
【技術分野】
【０００１】
本開示は、毛髪に赤外線を照射する際に用いられる毛髪処理装置に関するものである。
【背景技術】
【０００２】
従来、理美容施設では、例えば、カット、カラー、パーマなどの施術が行われ、被施術者に対し、洗髪と乾燥が繰り返し行われる。施術者は、片方の手で被施術者の毛髪を掻き上げながら、もう片方の手でハンドドライヤを操作し、所望の乾き具合が実現されるまで毛髪を乾燥させる。
【０００３】
理美容施設では、常に作業の効率を向上させることが求められ、また、被施術者が不足している場合もあり、毛髪の乾燥を自動的に行える手段が求められている。
【０００４】
カラーやパーマなどの施術において薬剤を促進させるための加温機は、例えばニクロム線を用いたシーズドヒーターなどが備えられているため、赤外線によって毛髪を乾燥させることもできる。加温機は、冷却して薬剤を毛髪に定着させるために、ファンが備えられているものもあるが、風量が少なく、毛髪を乾燥させるには至らない。
【０００５】
一方、例えば、下記特許文献１に記載されたヘアドライヤ装置は、棒状の支持体の上端からヘアドライヤが吊り下げられ、このヘアドライヤに連結されたダクトを介して送風される。このヘアドライヤ装置によれば、自動的に毛髪の乾燥が行われる。
【先行技術文献】
【特許文献】
【０００６】
【特許文献１】特表２０１２−５２１２５９号公報
【発明の概要】
【発明が解決しようとする課題】
【０００７】
上記したとおり、毛髪の乾燥を自動的に行えることが望ましいが、乾燥の度合いを調整することが、さらに望ましい。すなわち、毛髪を完全に乾燥させる場合の他、毛髪に僅かに湿気を保たせた状態に乾燥させる場合もあるため、この状態まで自動的に毛髪を乾燥させることが望ましい。
【０００８】
本開示は、上記の実情に鑑みて提案されたものである。すなわち、自動的に、かつ、所望の度合いに毛髪を乾燥させることができる毛髪処理装置の提供を目的とする。
【課題を解決するための手段】
【０００９】
上記目的を達成するために、本開示に係る毛髪処理装置は、被施術者の毛髪に照射される赤外線を放射する赤外線放射部と、弧状に湾曲した形状であって、凹面側に配置された前記赤外線照射部からの赤外線を毛髪に向けて反射させる反射部と、前記反射部の凸面側に配置されて前記反射部を冷却した風を、前記反射部の側方に配置された吹出し口から毛髪に向けて送風する送風部と、が備えられた長手の施術本体部と、前記施術本体部の一方の端部を支持して当該施術本体部を被施術者の頭部の近傍に配置させると共に被施術者の頭部の周囲を回転させる支持部と、を有し、前記赤外線照射部と前記反射部の頂部とが、前記施術本体部の回転軸を通って長手方向に伸びる線から側方にずれて配置され、前記吹出し口が、前記線に対して前記赤外線照射部と反対側に配置された、ことを特徴とする。また、毛髪処理装置は、前記反射部において、前記吹出し口と隣接した端部である一端部が、前記頂部に対して前記一端部と反対側の端部である他端部よりも短く形成され、前記吹出し口からの風が、前記反射部の正面寄りに向けられた、ことを特徴とする。なお、毛髪処理装置は、被施術者の毛髪に照射される赤外線を放射する赤外線放射部と、赤外線を毛髪に向けて反射させる反射部と、前記反射部を冷却した風を吹出し口から毛髪に向けて送風する送風部と、が備えられた施術本体部と、前記施術本体部を支持して被施術者の頭部の近傍に配置させる支持部と、を有する構成であってもよい。
【００１０】
毛髪処理装置は、前記反射部が、弧状に湾曲した形状であり、凹面側に前記赤外線放射部が配置され、凸面側に前記送風部が配置され、前記送風部から送風された風が前記凸面に当たることで、前記反射部が冷却される構成であってもよい。
【００１１】
毛髪処理装置は、前記吹出し口が前記反射部に隣接して備えられ、前記吹出し口に整流器を有する構成であってもよい。
【００１２】
毛髪処理装置は、前記施術本体部が、開口部が形成された本体カバー部を有し、前記開口部に、前記凹面側が外側に向けられた前記反射部、および、前記吹出し口が備えられ、前記本体カバー部の内側に、前記送風部が備えられた構成であってもよい。
【００１３】
毛髪処理装置は、前記施術本体部が、前記支持部に対して被施術者の頭部の周囲を回転する構成であってもよい。
【００１４】
毛髪処理装置は、前記施術本体部が長手であり、この施術本体部の一方の端部が前記支持部に連結された構成であってもよい。
【００１５】
毛髪処理装置は、前記反射部に、前記送風部から送風された風が通る通風孔が形成された構成であってもよい。
【００１６】
毛髪処理装置は、前記送風部から送風された風が通る通風孔が、前記一方の端部における前記反射部に形成された構成であってもよい。
【００１７】
毛髪処理装置は、回転した前記施術本体部が、停止する直前で減速する構成であってもよい。
【００１８】
毛髪処理装置は、前記施術本体部の回転中心から、この回転中心から最も離れた端部までの前記施術本体部の全長の向きが、横向きとなる位置で停止する直前で減速する構成であってもよい。
【発明の効果】
【００１９】
本開示に係る毛髪処理装置は、自動的に、かつ、所望の度合いに毛髪を乾燥させることができる。
【図面の簡単な説明】
【００２０】
【図１】図１は、本開示の第一実施形態に係る毛髪処理装置の外観が示され、Ａは右側面図、Ｂは正面図、Ｃは背面図である。
【図２】図２は、本開示の第一実施形態に係る毛髪処理装置の外観が示され、Ａは平面図、Ｂは底面図である。
【図３】図３は、本開示の第一実施形態に係る毛髪処理装置の外観が示され、Ａは斜視図、Ｂは施術本体部が回転する様子が示された斜視図である。
【図４】図４は、本開示の第一実施形態に係る毛髪処理装置における施術本体部の正面拡大図である。
【図５】図５は、本開示の第一実施形態に係る毛髪処理装置における施術本体部の部分拡大図である。
【図６】図６は、本開示の第一実施形態に係る毛髪処理装置における施術本体部の断面が示され、図４のａ−ａ断面図である。
【図７】図７は、本開示の第一実施形態に係る毛髪処理装置の動作の態様が示された概略模式図である。
【発明を実施するための形態】
【００２１】
毛髪処理装置は、被施術者の毛髪に照射される赤外線を放射する赤外線放射部と、赤外線を毛髪に向けて反射させる反射部と、反射部を冷却した風を吹出し口から毛髪に向けて送風する送風部とが備えられた施術本体部と、この施術本体部を支持して被施術者の頭部の近傍に配置させる支持部とを有している。すなわち、被施術者の毛髪は、赤外線による熱と送風とで乾かされる。その際、赤外線が、反射部によって反射することによって、毛髪に対して間接的に照射され、また、風が、熱源である赤外線放射部を冷却しつつ送風される。そのため、温度と風量とを調節することで、毛髪処理装置は、所望の度合いに毛髪を乾燥させることができる。また、毛髪処理装置は、施術本体部が支持部によって被施術者の頭部の近傍に配置されるため、施術者に頼らず、自動的に毛髪を乾燥させることができる。
【００２２】
毛髪処理装置は、反射部が、弧状に湾曲した形状であり、凹面側に赤外線放射部が配置され、凸面側に送風部が配置され、送風部から送風された風が、凸面に当たることで、反射部が冷却される。すなわち、赤外線は、反射部の凹面で反射することによって、毛髪に向けられ、また、風が、凸面に当たることで冷却される。そのため、熱と風とで適度な温度に調節することができる。
【００２３】
毛髪処理装置は、吹出し口が反射部に隣接して備えられ、吹出し口に整流器を有している。この構成によって、整流された風が、強く直線的に放出する。そのため、強く直線的な風は、頭髪の表面だけでなく、密集した頭髪をかき分けて、内部の毛髪に届く。そのため、毛髪処理装置は、毛髪をふわりと、かつ、斑なく乾燥させることができる。
【００２４】
毛髪処理装置は、施術本体部が、開口部が形成された本体カバー部を有し、開口部に、凹面側が外側に向けられた反射部、および、吹出し口が備えられ、本体カバー部の内側に、送風部が備えられている。この構成によって、反射部で反射した赤外線と、カバー部の内側で反射部を冷却した風とが、共通の排出口である開口部を通って放出される。そのため、毛髪処理装置は、赤外線と風とを別々に一か所から毛髪に向けて放出することができる。
【００２５】
毛髪処理装置は、施術本体部が、支持部に対して被施術者の頭部の周囲を回転する。そのため、毛髪処理装置は、頭髪の全体を斑なく乾燥させることができる。
【００２６】
毛髪処理装置は、施術本体部が長手であり、この施術本体部の一方の端部が支持部に連結されている。そのため、毛髪処理装置は、長髪を斑なく乾燥させることができる。
【００２７】
毛髪処理装置は、反射部に、送風部から送風された風が通る通風孔が形成されている。すなわち、通風孔を風が通過することによって、反射部が冷却される。そのため、毛髪処理装置は、高温による反射部の変形を抑止することができる。
【００２８】
毛髪処理装置は、送風部から送風された風が通る通風孔が、一方の端部における反射部に形成されている。毛髪は、分け目がある頭頂部と比較して、後頭部の方に密集しており、このことは、特に長髪の場合に顕著である。そのため、頭髪の全体を斑なく乾燥させる場合、頭頂部と比較して、後頭部や長髪を乾燥させる時間の方が長い。すなわち、施術本体部は、回転中心から下側で半円形の軌道を往復することが多い。この場合、施術本体部は、一方の端部が上、他方の端部が下に配置されることが多いため、反射部は上方側が高温となり、また、反射部の凸面側の空気も、上方側が高温となる。しかし、比較的に高温となる上方側に、通風孔が形成されたことで、反射部の上方側の近傍の温度が下がり、上方側と下方側とで温度が均される。そのため、毛髪処理装置は、反射部、および、反射部の周辺部の熱変形を抑止することができる。
【００２９】
毛髪処理装置は、回転した施術本体部が、停止する直前で減速する。この構成により、施術本体部がゆっくりと停止する。そのため、施術本体部の滑らかな動作が実現し、高級な雰囲気が実現する。なお、仮に、減速せずに施術本体部が急停止した場合、停止した際の衝撃が毛髪処理装置全体に伝わって、毛髪処理装置が振動する場合がある。
【００３０】
毛髪処理装置は、施術本体部の回転中心から、この回転中心から最も離れた端部までの施術本体部の全長の向きが、横向きとなる位置で停止する直前で減速する。施術の手法によっては、被施術者の顔の横の毛髪（いわゆるサイドやフェイスライン）を、完全に乾燥させる場合や、適度に濡れた状態にする場合がある。前者の場合、サイドやフェイスラインに熱と風が当たる位置として、施術本体部を横向きとなる位置に配置させる。その際、停止する直前で施術本体部を減速させることによって、施術本体部の滑らかな動作が実現し、高級な雰囲気が実現する。
【００３１】
以下は、本開示の第一実施形態に係る毛髪処理装置の説明である。図１Ａ，Ｂ，Ｃ、図２Ａ，Ｂおよび図３Ａ，Ｂは、毛髪処理装置１の外観が示されている。以下の説明では、設置面に対して垂直な方向である鉛直方向が、上下方向であり、被施術者（図示省略）に向けられる側が正面方向であり、その反対側が背面方向である。
【００３２】
図１Ａ，Ｂ，Ｃ、図２Ａ，Ｂおよび図３Ａ，Ｂに示されているとおり、毛髪処理装置１は、設置面に自立する支持部２と、この支持部２の上端部に連結されて支持された施術本体部１５とを有している。
【００３３】
支持部２は、上下方向に縦長であり、上方部が鈍角に折れ曲がって傾斜している。支持部２は、複数のキャスター３ａ〜ｄが取り付けられた支持脚部４と、この支持脚部４が下端部に接続された支持本体部８と、この支持本体部８の上端部に接続された支持連結部１１とを有している。
【００３４】
支持脚部４は、ほぼ水平方向に広がった“Ｘ”字状の水平脚部５の各先端にキャスター３ａ〜ｄが取り付けられ、水平脚部５の中心から垂直脚部６が上方に伸びている。水平脚部５は、中心の下部に、ペダル７が備えられている。
【００３５】
支持本体部８は、上下方向に長手の筐体に、電源部（図示省略）、制御部（図示省略）、ピストンシリンダー（図示省略）などが内蔵されている。ピストンシリンダーは、例えばガス式、油圧式などであり、支持脚部４のペダル７と連結されている。筐体は、正面側に電源スイッチ９が備えられ、背面側の上端部に、操作部１０が形成されている。
【００３６】
支持連結部１１は、上下方向に長手の垂直連結部１２と、この垂直連結部１２の上端部から、斜め上方かつ前方に向けて伸びた傾斜連結部１３と、この傾斜連結部１３の先端部に取り付けられた連結本体部１４とを有している。連結本体部１４は、筐体に例えばギアモーター（図示省略）が内蔵されている。支持連結部１１は、支持脚部４のペダル７が操作されることによって、支持本体部８のピストンシリンダーが稼働し、支持本体部８に対して上昇する。支持連結部１１は、任意の高さで止められる。
【００３７】
施術本体部１５は、上下方向に長手のほぼ直方体であり、一方の端部である上端部に連結腕部１６を有している。連結腕部１６は、連結本体部１４に連結され、支持連結部１１のギアモーターに接続されている。すなわち、施術本体部１５は、ギアモーターを介して、連結本体部１４に対して回転する。施術本体部１５の回転軸Ｘは、垂直方向に対して傾斜し、垂直方向の軸と回転軸Ｘとは鈍角である。なお、施術本体部１５の長さは、任意である。例えば、施術本体部１５は、上端部が被施術者の頭頂部の近傍に配置され、回転軸Ｘ上に頭部が配置された場合に、施術本体部１５の他方の端部である下端部が、後頭部、首、肩、背中の近傍に配置される程度の長さである。
【００３８】
以下は、施術本体部１５についての詳細な説明である。図４は、施術本体部１５の外観が示され、図５は、施術本体部１５の一部が拡大されて示され、図６は、施術本体部１５の断面が示されている。
【００３９】
図４、図５および図６に示されているとおり、施術本体部１５は、正面側に開口部１８が形成された本体カバー部１７と、この本体カバー部１７の内側に収容された送風部２０と、開口部１８に取り付けられた赤外線放射部２１、反射部２２および吹出し口２６と、この吹出し口２６の近傍に配置されて風向きを制御する風向板２７と、開口部１８を覆う格子状のガードカバー２８とを有している。
【００４０】
本体カバー部１７は、上下方向に長手のほぼ直方体であり、側面に吸気孔１９が形成されている（図３Ａ参照）。開口部１８も、本体カバー部１７の長手方向に沿って上下方向に長手である。ガードカバー２８は、開口部１８の長さに対応して上下方向に長手である。
【００４１】
反射部２２および吹出し口２６は、開口部１８におけるガードカバー２８よりも内側において、互いに隣接して取り付けられている。反射部２２は、開口部１８の長さに対応して上下方向に長手であり、断面が、放物線状に弧状に湾曲した形状である。反射部２２の凹面２３は、施術本体部１５の外側に向けられ、凸面２４は、施術本体部１５の内側に向けられている。反射部２２は、施術本体部１５の上端部側であって、反射部２２において中心よりも吹出し口２６に近い側の近傍に、通風孔２５が形成されている。なお、通風孔２５の形状および数は任意である。吹出し口２６は、開口部１８の長さに対応して上下方向に長手であり、例えば、ハニカム構造などによる整流器を有している。風向板２７は、開口部１８の長さに対応して上下方向に長手であり、吹出し口２６に対して反射部２２と反対側に取り付けられている。
【００４２】
赤外線放射部２１は、棒状のカーボンヒーターであり、開口部１８の長さに対応して上下方向に長手である。赤外線放射部２１は、反射部２２の凹面２３側における中心に配置されている。赤外線の放射方向は、凹面２３側である。
【００４３】
送風部２０は、例えばクロスフローファンであり、開口部１８の長さに対応して上下方向に長手である。送風部２０は、反射部２２の凸面２４側において、本体カバー部１７の内側に配置されている。なお、羽の形状や数は任意である。
【００４４】
以上のとおり、毛髪処理装置１が構成されている。以下は、毛髪処理装置１の動作の説明である。
【００４５】
例えば、図１Ａにおいて、毛髪処理装置１は、被施術者の背面に設置され、連結腕部１６が被施術者の頭部の近傍に配置される。回転軸Ｘ上に頭部が配置され、施術本体部１５が被施術者の後頭部の近傍に配置される。その際、施術本体部１５は、支持脚部４のペダル７が操作されることによって、支持本体部８のピストンシリンダーが稼働し、支持本体部８に対して支持連結部１１と共に昇降する。電源スイッチ９が入れられると、図６において、赤外線放射部２１から赤外線が放射される。赤外線は、反射部２２の凹面２３に向けられているため、凹面２３で毛髪に向けて反射する。同時に、送風部２０が稼働すると、吸気孔１９から吸気され（流路２９ａ）、風が反射部２２の凸面２４に送られる（流路２９ｂ）。風の一部は、反射部２２の通風孔２５から放出され（流路２９ｃ）、また、凸面２４に当たることで反射部２２を冷却する（流路２９ｄ）。凸面２４に当たった風は、反射部２２の熱で僅かに加温され、風向板２７に当たって吹出し口２６から放出される（流路２９ｅ）。毛髪は、反射部２２で反射した赤外線によって乾燥し、同時に、風が当たることで乾燥する。
【００４６】
また、図３Ｂに示されているとおり、施術本体部１５は、支持本体部８の操作部１０で選択された動作モードに従って、支持部２に対して被施術者の頭部の周囲を回転する。例えば、施術本体部１５のうち、回転中心から最も離れた下端部が、鉛直方向における下端に配置された状態（図１Ｂ参照）の回転角を０度とした場合、施術本体部１５は３６０度回転することができる。
【００４７】
以下は、施術本体部１５が回転する様子の説明である。図７は、施術本体部１５が回転する様子が模式的に示されている。
【００４８】
施術本体部１５は、予め設定されたプログラムに基づいて動作する。例えば、図７に示されているとおり、右回りをプラスとした場合、施術本体部１５は、プログラムに基づいて、回転角が９０度の位置、１８０度の位置などで停止し、また、０度を中心として、回転中心から、この回転中心から最も離れた下端部までの施術本体部１５の全長の向きが、横向きとなる位置であるプラス９０度および９０度前後の位置と、マイナス９０度および９０度前後の位置とを往復する。また、施術本体部１５は、例えば、９０度、１８０度、２７０度、３６０度、４５０度、５４０度などの位置で停止し、停止した位置から逆向きに同じ回転角の位置で停止し、往復運動を繰り返す。なお、プログラムは任意であるため、施術本体部１５が停止する回転角も任意である。また、施術本体部１５は、回転運動や往復運動をせずに、任意の回転角の位置で停止することもできる。
【００４９】
停止した施術本体部１５は、加速しながら回転し始め、一定の速度で回転する。また、回転した施術本体部１５は、停止する直前で減速する。施術本体部１５は、あらゆる回転角における位置で停止する際にも減速する。一方、例えば、施術本体部１５は、プラス９０度および９０度前後の位置と、マイナス９０度および９０度前後の位置とにおいて、停止する直前で減速する。
【００５０】
次に、毛髪処理装置１の効果を説明する。
【００５１】
上記したとおり、毛髪処理装置１の施術本体部１５は、正面側に開口部１８が形成された本体カバー部１７と、この本体カバー部１７の内側に収容された送風部２０と、開口部１８に取り付けられた赤外線放射部２１、反射部２２および吹出し口２６と、風向きを制御する風向板２７とを有している（図６参照）。赤外線放射部２１から放射された赤外線は、反射部２２の凹面２３で毛髪に向けて反射する。同時に、風の一部は、反射部２２の通風孔２５から放出され、また、凸面２４に当たることで反射部２２を冷却する。風は、風向板２７に当たって吹出し口２６から放出される。すなわち、毛髪は、反射部２２で反射した赤外線によって乾燥し、同時に、風が当たることで乾燥する。その際、赤外線が、反射部２２によって反射することによって、毛髪に対して間接的に照射され、また、風が、熱源である赤外線放射部２１を冷却しつつ送風される。そのため、温度と風量とを調節することで、毛髪処理装置１は、所望の度合いに毛髪を乾燥させることができる。
【００５２】
また、毛髪処理装置１の施術本体部１５は、自立した支持部２によって被施術者の頭部の近傍に配置されるため（図３Ａ参照）、施術者に頼らず、自動的に毛髪を乾燥させることができる。
【００５３】
毛髪処理装置１における施術本体部１５の吹出し口２６は、ハニカム構造である。この構成によって、整流された風が、強く直線的に放出する。そのため、強く直線的な風は、頭髪の表面だけでなく、密集した頭髪をかき分けて、内部の毛髪に届く。そのため、毛髪処理装置１は、毛髪をふわりと、かつ、斑なく乾燥させることができる。
【００５４】
毛髪処理装置１の施術本体部１５は、支持連結部１１のギアモーターを介して、連結本体部１４に対して、被施術者の頭部の周囲を回転する。そのため、毛髪処理装置１は、頭髪の全体を斑なく乾燥させることができる。
【００５５】
毛髪処理装置１の施術本体部１５は、上下方向に長手であり、この施術本体部１５の上端部の連結腕部１６が、支持部２の連結本体部１４に連結されている（図３Ａ参照）。そのため、毛髪処理装置１は、長髪を斑なく乾燥させることができる。
【００５６】
毛髪処理装置１の反射部２２は、回転軸Ｘに近い施術本体部１５の上端部側であって、反射部２２において中心よりも、吹出し口２６に近い側の近傍に、通風孔２５が形成されている（図４および図５参照）。毛髪は、分け目がある頭頂部と比較して、後頭部の方に密集しており、このことは、特に長髪の場合に顕著である。そのため、頭髪の全体を斑なく乾燥させる場合、頭頂部と比較して、後頭部や長髪を乾燥させる時間の方が長い。すなわち、施術本体部１５は、回転中心から下側で半円形の軌道を往復することが多く、この場合、施術本体部１５は、上端部が上、下端部が下に配置されることになる。そこで、施術本体部１５の上端部側に形成された通風孔２５を、送風部２０によって吸気された風の一部が通過することによって、反射部２２が冷却されて温度が均一となる。そのため、毛髪処理装置１は、高温による反射部２２の熱変形を抑止することができる。
【００５７】
また、上記したとおり、施術本体部１５は、回転中心から下側で半円形の軌道を往復することが多く、この場合、施術本体部１５は、上端部が上、下端部が下に配置される。施術本体部１５は長手であるため、この配置では、反射部２２は上方側が高温となり、また、反射部２２の凸面２４側の空気も、上方側が高温となる。しかし、比較的に高温となる上方に、通風孔２５が形成されたことで、反射部２２の上方側の近傍の温度が下がり、上方側と下方側とで温度が均される。そのため、毛髪処理装置１は、施術本体部１５の上端部側に熱がこもることが抑止され、反射部２２、本体カバー部１７、開口部１８などの熱変形を抑止することができる。
【００５８】
また、施術の手法によっては、いわゆるサイド、フェイスラインの毛髪を、完全に乾燥させる場合や、適度に濡れた状態にする場合がある。前者の場合、サイドやフェイスラインの毛髪に熱と風が当たる位置に、施術本体部１５を配置させる必要がある。すなわち、施術本体部１５の全長の向きが横向きとなる位置であり、例えば、プラス９０度および９０度前後の位置、および、マイナス９０度および９０度前後の位置である。そこで、この間を往復する施術本体部１５が、プラス９０度および９０度前後の位置と、マイナス９０度および９０度前後の位置とにおいて停止する直前で減速することによって、施術本体部１５はゆっくりと停止する。そのため、施術本体部１５の滑らかな動作が実現し、高級な雰囲気が実現する。
【００５９】
以下は、他の実施形態の説明である。
【００６０】
第二実施形態に係る毛髪処理装置（図示省略）は、支持部が、例えば、理美容施設の天井に取り付けられ、施術本体部が天井から吊り下げられている。第三実施形態に係る毛髪処理装置（図示省略）は、支持部が、例えば、理美容施設の壁や棚などに着脱される。第四実施形態に係る毛髪処理装置（図示省略）は、施術本体部の上下方向の長さが、例えば第一実施形態に係る毛髪処理装置１の半分程度である。第五実施形態に係る毛髪処理装置（図示省略）は、通風孔が、反射部における任意の位置に形成されている。なお、第二実施形態、第三実施形態、第四実施形態および第五実施形態に係る毛髪処理装置の他の構成は、第一実施形態に係る毛髪処理装置１と同一である。
【００６１】
以下は、他の毛髪処理装置（図示省略）の説明である。他の毛髪処理装置は、施術本体部の構成が、第一実施形態に係る毛髪処理装置と異なる。以下は、主に、第一実施形態に係る毛髪処理装置と異なる構成の説明であり、第一実施形態に係る毛髪処理装置や、各実施形態に係る毛髪処理装置と同様の構成は説明が省略されている。
【００６２】
他の第一の毛髪処理装置における施術本体部は、反射部の断面が、放物線状に弧状に湾曲した形状ではなく、任意である。すなわち、例えば、反射部は、二枚の反射板が対面し、断面が“Ｖ”字状であり、または、三枚以上の反射板が、９０度以上の角度で対面して連結されている。反射部は、施術本体部の上端部側の任意の位置に、通風孔が形成されている。すなわち、例えば、通風孔の位置は、反射部における中心、中心よりも吹出し口に近い側、中心よりも吹出し口から遠い側などのいずれか、または、すべてに配置されている。換言すれば、通風孔の位置は、反射部の上端部側であれば任意である。
【００６３】
他の第二の毛髪処理装置における施術本体部は、上下方向に長手であり、上端部の連結腕部が、支持部の連結本体部に連結されている。なお、赤外線放射部、送風部および反射部の形状や配置は、任意である。風や熱で毛髪を乾燥させる毛髪処理手段が備えられた仕様であれば、他の第二の毛髪処理装置は、送風部のみから構成され、または、赤外線放射部のみから構成されたものも含まれる。また、吹出し口は、ハニカム構造に限定されない。
【００６４】
以上、本開示の実施形態を詳述したが、本開示は上記実施形態に限定されるものではない。そして本開示は、特許請求の範囲に記載された事項を逸脱することがなければ、種々の設計変更を行うことが可能である。
【符号の説明】
【００６５】
１              毛髪処理装置
２              支持部
３ａ〜ｄ        キャスター
４              支持脚部
５              水平脚部
６              垂直脚部
７              ペダル
８              支持本体部
９              電源スイッチ
１０            操作部
１１            支持連結部
１２            垂直連結部
１３            傾斜連結部
１４            連結本体部
１５            施術本体部
１６            連結腕部
１７            本体カバー部
１８            開口部
１９            吸気孔
２０            送風部
２１            赤外線放射部
２２            反射部
２３            凹面
２４            凸面
２５            通風孔
２６            吹出し口
２７            風向板
２８            ガードカバー
２９ａ〜２９ｅ  流路
Ｘ              回転軸
【図１】
2020203092.tif 000003
【図２】
2020203092.tif 000004
【図３】
2020203092.tif 000005
【図４】
2020203092.tif 000006
【図５】
2020203092.tif 000007
【図６】
2020203092.tif 000008
【図７】
2020203092.tif 000009